(57)【要約】  【課題】  原稿を自動搬送させて割り込み動作することが可能な自動原稿搬送装置において、割り込み動作に係る排出された原稿と通常の自動搬送動作に係る排出された原稿とを容易に区別できる自動原稿搬送装置を提供する。  【解決手段】  自動原稿搬送装置２０の一端に複数のローラからなる第１の自動搬送手段２３を設け、自動原稿搬送装置本体２１の下方に２本のローラとそれらに張架支持されるベルトからなる第２の自動搬送手段３３を設ける。第１の自動搬送手段２３によって、原稿は原稿載置トレイ２２から原稿搬送路２７を通って、第１の読み取り位置２８で画像が読み取られ、用紙排出トレイ２４に排出される。第２の自動搬送手段では、自動原稿搬送装置２０の正面の挿入口から挿入された原稿は第２の読み取り位置３５に搬送され、画像が読み取られ、挿入口から排出される。【選択図】      図１
2006069676.tif 000002
【特許請求の範囲】
【請求項１】
透明ガラス製のプラテンと、このプラテンの下方に水平方向に移動可能に設けられた露光装置と、前記プラテンの上方に第１の原稿搬送手段および第２の原稿搬送手段とを備え、
前記第１の原稿搬送手段は、前記露光装置の移動方向の一端の上方に配置され、原稿載置トレイに載置した原稿を前記プラテンの前記第１の原稿搬送手段の下方の部分に設定した第１の読み取り位置に搬送し、原稿排出トレイに排出するものであり、前記第２の原稿搬送手段は、前記プラテンの前記第１の読み取り位置以外の部分に設定した第２の読み取り位置の上方に配置され、原稿手差し口から挿入された原稿を前記第２の読み取り位置に搬送し、前記原稿手差し口から排出するものであることを特徴とする画像読み取り装置。
【請求項２】
前記第１の原稿搬送手段は複数のローラからなり、前記第２の原稿搬送手段は前記原稿手差し口から挿入された原稿の搬送方向と直角をなす方向に水平に設けられた複数のローラによって前記プラテンの表面と平行に張架支持されたベルトからなることを特徴とする請求項１に記載の画像読み取り装置。
【請求項３】
原稿搬送動作を制御する制御装置と、前記原稿手差し口に原稿検知手段とを設け、前記第１の原稿搬送手段で原稿が搬送されているときに前記原稿検知手段が前記原稿手差し口に原稿が挿入されたことを検知すると、前記制御装置により、前記第１の原稿搬送手段で搬送されている原稿を前記第１の読み取り位置で前記露光装置によって読み取りながら、前記原稿手差し口に挿入された原稿を前記第２の原稿搬送手段で前記第２の読み取り位置に搬送し、前記第１の原稿搬送手段で搬送されている原稿の読み取りが完了すると、前記第２の読み取り位置に搬送された原稿を前記露光装置によって読み取り、この原稿を前記原稿手差し口から排出する制御を行うことを特徴とする請求項１または２に記載の画像読み取り装置。
【発明の詳細な説明】
【技術分野】
【０００１】
本発明は自動原稿搬送装置を備えた画像読み取り装置に関する。
【背景技術】
【０００２】
複写機やファクシミリまたはこれらとプリンタなどの複合機においては、原稿載置トレイに載置された複数枚の原稿を画像読み取り装置に自動的に搬送する自動原稿搬送装置を備えたものが広く用いられている。この自動原稿搬送装置を備えた複写機などにおいて、自動原稿搬送中に割り込みコピーを行う場合には、その時点での作業に係る原稿を原稿載置トレイから取り出して、自動原稿搬送装置を開けて、割り込みコピーに係る原稿をプラテン上に置き、自動原稿搬送装置を閉じて割り込みコピーを行った後、再び自動原稿搬送装置を開けて原稿を取り出し、自動原稿搬送装置を閉じて、作業途中の原稿を再び原稿載置トレイに載置し直してコピーを続行させなければならず、非常に面倒であった。
【０００３】
そのため、特許文献１では従来の原稿載置トレイ（給紙トレイ）に加えて原稿手差し口（手差口部）を設けて割り込みコピーを容易に可能にする自動原稿搬送装置が提案されている。
【特許文献１】特開平９−３２３８３８号公報（第５頁−第７頁、図５）
【発明の開示】
【発明が解決しようとする課題】
【０００４】
しかし、特許文献１で提案された自動原稿搬送装置では、割り込みコピーに係る原稿が、割り込み前に排出された原稿の上に排出されるため、割り込み前に排出された原稿と割り込みコピーに係る排出された原稿とを区別することができない。
【０００５】
そこで、本発明では、割り込みコピーに係る排出された原稿と、割り込み前に排出された原稿とを容易に区別することができる自動原稿搬送装置を提供することを目的とする。
【課題を解決するための手段】
【０００６】
上記課題を解決するため、本発明では自動原稿搬送装置を次のように構成した。
【０００７】
（１）上記目的を達成するために本発明に係る自動原稿搬送装置は、透明ガラス製のプラテンと、このプラテンの下方に水平方向に移動可能に設けられた露光装置と、前記プラテンの上方に第１の原稿搬送手段および第２の原稿搬送手段とを備え、前記第１の原稿搬送手段は、前記露光装置の移動方向の一端の上方に配置され、原稿載置トレイに載置した原稿を前記プラテンの前記第１の原稿搬送手段の下方の部分に設定した第１の読み取り位置に搬送し、原稿排出トレイに排出するものであり、前記第２の原稿搬送手段は、前記プラテンの前記第１の読み取り位置以外の部分に設定した第２の読み取り位置の上方に配置され、原稿手差し口から挿入された原稿を前記第２の読み取り位置に搬送し、前記原稿手差し口から排出するものであるものとする。
【０００８】
（２）また本発明は、上記構成の自動原稿搬送装置において、前記第１の原稿搬送手段は複数のローラからなり、前記第２の原稿搬送手段は前記原稿手差し口から挿入された原稿の搬送方向と直角をなす方向に水平に設けられた複数のローラによって前記プラテンの表面と平行に張架支持されたベルトからなるものとする。
【０００９】
（３）また本発明は、上記構成の自動原稿搬送装置において、原稿搬送動作を制御する制御装置と、前記原稿手差し口に原稿検知手段とを設け、前記第１の原稿搬送手段で原稿が搬送されているときに前記原稿検知手段が前記原稿手差し口に原稿が挿入されたことを検知すると、前記制御装置により、前記第１の原稿搬送手段で搬送されている原稿を前記第１の読み取り位置で前記露光装置によって読み取りながら、前記原稿手差し口に挿入された原稿を前記第２の原稿搬送手段で前記第２の読み取り位置に搬送し、前記第１の原稿搬送手段で搬送されている原稿の読み取りが完了すると、前記第２の読み取り位置に搬送された原稿を前記露光装置によって読み取り、この原稿を前記原稿手差し口から排出する制御を行うものとする。
【発明の効果】
【００１０】
（１）本発明の構成では、第１の原稿搬送手段と第２の原稿搬送手段とでは、原稿を挿入する場所と排出する場所が異なるため、通常の動作に係る原稿と割り込み動作に係る原稿とが混ざることがなく、容易に区別することができる。
【００１１】
（２）第２の原稿搬送手段はローラおよびベルトからなるため、厚みを薄くして占める体積を小さくすることができ、自動原稿搬送装置全体の大きさを第２の原稿搬送手段を設けないものと比べてほとんど変えることがない。
【００１２】
（３）第１の原稿搬送手段で原稿が搬送され、第１の読み取り位置で読み取られているときに、原稿手差し口に挿入された原稿は、第１の読み取り位置での読み取りが完了するまでは第２の読み取り位置で待機し、第１の読み取り位置での読み取りが完了すると読み取られるため、割り込み動作に係る時間をできる限り短くすることができる。
【発明を実施するための最良の形態】
【００１３】
本発明の実施形態を図１および図２を用いて説明する。図１は本発明の実施形態に係る自動原稿搬送装置２０を備えた複写機１の概略構成図、図２は複写機１の上部の正面中央付近での断面図である。
【００１４】
図１に示すように、本体ハウジング１０は、上ハウジング１１と下ハウジング１２とを有し、上ハウジング１１の上には自動原稿搬送装置２０が載置される。自動原稿搬送装置２０は紙面の奥側を開閉支点として垂直面内で開閉自在に取り付けられている。
【００１５】
自動原稿搬送装置２０は、自動原稿搬送装置本体２１と、原稿載置トレイ２２と、第１の原稿搬送手段２３と、原稿排出トレイ２４とを備える。原稿排出トレイ２４は、原稿搬送装置本体２１上面の一部として一体に形成されている。原稿載置トレイ２２は原稿搬送路２７の上流端をなし、原稿排出トレイ２４は原稿搬送路２７の下流端をなす。第１の原稿搬送手段２３内の原稿搬送路２７には、原稿搬送方向上流側から順にピックアップローラ２３ａ、複数の搬送ローラ２３ｂ、レジストローラ２３ｃ、および排出ローラ２３ｄが設けられている。そして、原稿搬送路２７のうち、レジストローラ２３ｃの下方で、上ハウジング１１の上面の透明ガラス製のプラテン４１の上面には第１の読み取り位置２８が設定されている。原稿載置トレイ２２にセットされた原稿（不図示）は、コピー開始ボタン（不図示）が押されると、前記各ローラによって原稿搬送路２７を搬送され、途中第１の読み取り位置２８で次に説明する画像読み取り部４０によって画像が読み取られる。
【００１６】
上ハウジング１１には画像読み取り部４０が内蔵されている。画像読み取り部４０は、透明ガラス製のプラテン４１、露光ランプ４２、第１のミラー４３、第２のミラー４４、第３のミラー４５、集光レンズ４６およびイメージセンサ（例えばライン型のＣＣＤ）４７を備える。露光ランプ４２および第１のミラー４３は露光装置枠４８ａの内部に配置され、露光装置４８を構成する。露光装置４８は、ワイヤー４９ａとプーリー４９ｂとプーリー４９ｂに連結された図示しないモータからなる露光装置駆動部４９により図中左右方向に水平に移動することができる。
【００１７】
原稿を第１の原稿搬送手段により自動搬送して原稿画像を読み取る場合には、露光装置４８が第１の読み取り位置２８の直下に移動し、露光ランプ４２からの光照射光が移動中の原稿を露光する。照射光は第１ミラー４３、第２ミラー４４、第３ミラー４５、集光レンズ４６を通じてＣＣＤ４７に到達して光電変換処理を経て電気信号となるように読み取られる。また、原稿固定方式で原稿画像を読み取る場合には、プラテン４１の上に載置された原稿を露光装置４８が移動しながら露光することにより、自動搬送の場合と同様に読み取られる。
【００１８】
下ハウジング１２の上部には排紙口１４および胴内排紙トレイ１５が設けられており、画像が形成された用紙Ｐが排出される。また、複写機１全体の動作を制御する制御装置５０が設けられている。
【００１９】
また、下ハウジング１２には、給紙部６０、画像形成部７０および定着部８０が内蔵されている。給紙部６０は給紙カセット６１、給紙ローラ６２、および搬送ローラ６３からなる。給紙カセット６１は、用紙Ｐを収容するものであり、下ハウジング１２の下部に配設される。用紙Ｐはここから給紙ローラ６２により１枚ずつ用紙搬送路６４へ送り出され、搬送ローラ６３によって搬送される。
【００２０】
次に画像形成部７０について説明する。画像形成部７０は、感光体ドラム７１と、その周囲に配設された帯電器７２、光走査ユニット７３、現像器７４、転写ローラ７５、クリーニング器７６とを備える。感光体ドラム７１は図１において時計回りに回転し、まず帯電器７２により感光体ドラム７１の表面は均一に帯電される。次に、光走査ユニット７３から感光体ドラム７１の表面にレーザ光が照射されて、用紙Ｐに形成される画像の部分又は前記画像以外の部分に相当する電荷が消去され、感光体ドラム７１の表面に静電潜像が形成される。そして現像器７４によって、この静電潜像にトナーが供給され静電潜像が顕像化する。
【００２１】
感光体ドラム７１がさらに回転し、トナー画像が転写ローラ７５と対向する位置に来たときに、それに合わせて、感光体ドラム７１と転写ローラ７５との間に用紙Ｐが搬送されてくる。このとき転写ローラ７５に、トナーの帯電極性と逆極性の電圧が印加されることにより、感光体ドラム７１上のトナー画像が用紙Ｐ上に転写される。感光体ドラム７１上の転写されなかった残留トナーはクリーニング器７６によって感光体ドラム７１上から除去される。一方トナー画像が転写された用紙Ｐは定着ローラ８１と加圧ローラ８２とが圧接してなる定着部８０に搬送され、ここでトナー画像は加熱・加圧されて用紙Ｐに定着する。その後用紙Ｐは排出ローラ６７により、排紙口１４から胴内排紙トレイ１５に排出される。
【００２２】
本発明において、図２に示すように、自動原稿搬送装置２０には、自動原稿搬送装置本体２１の正面（図面右側）に原稿手差し口３１が設けられ、内部にローラ３２および第２の原稿搬送手段３３が内蔵されている。第２の原稿搬送手段３３は２本のローラ３３ａおよび３３ｂによってプラテン４１と平行に張架支持されたベルト３３ｃからなっている。また、原稿手差し口３１の内側には原稿検知手段３４が設けられている。原稿検知手段３４はアクチュエータ３４ａとフォトインタラプタ３４ｂからなるものであり、原稿が原稿手差し口３１に挿入されたことを検知し、制御装置５０にその信号を送るものである。
【００２３】
プラテン４１上の、第１の原稿搬送手段２３によって搬送される原稿が読み取られる部分、すなわち第１の読み取り位置２８は図１において露光装置３８が左端に移動した位置に設定されているが、第２の原稿搬送手段３３によって搬送された原稿が読み取られる部分、すなわち第２の読み取り位置３５はそれ以外の部分に設定されている。
【００２４】
原稿手差し口３１に原稿が挿入されると、これを原稿検知手段３４が検知し、この信号を受けた制御装置５０の制御により、ローラ３２により原稿が取り込まれ、ベルト３３ｃが所定時間回転して原稿を第２の読み取り位置３５に搬送する。第２の読み取り位置３５に搬送された原稿は、前述した原稿固定方式と同様にして画像読み取り部４０によって画像が読み取られる。その後、ベルト３３ｃが逆回転して原稿を原稿手差し口３１から排出する。読み取られた画像は、前述したように用紙に形成され、胴内排紙トレイ１５に排出される。
【００２５】
以上のように構成することにより、原稿手差し口３１および第２の原稿搬送手段３３を用いることで、自動原稿搬送装置２０を開くことなく、原稿手差し口３１に原稿を挿入するだけで簡単に画像の複写を行うことができる。また、第２の原稿搬送手段３３はローラ３３ａおよび３３ｂとベルト３３ｃからなるため、厚みを薄くすることができ、自動原稿搬送装置２０全体の大きさを、第２の原稿搬送手段３３を設けないものと比べてほとんど変えることがない。
【００２６】
第１の原稿搬送手段２３で原稿が搬送されている間に原稿手差し口３１に用紙を挿入する場合、すなわち割り込みコピーを行う場合は、第１の原稿搬送手段２３で搬送されている原稿を搬送し、第１の読み取り位置２８で読み取りながら、原稿手差し口３１に挿入された原稿を第２の読み取り位置３５に搬送して待機させる。第１の原稿搬送手段２３で搬送されている原稿の読み取りが完了して原稿排出トレイ２４に排出され、これに係る画像が形成された用紙が胴内排紙トレイ１５に排出されると、第２の読み取り位置３５で待機している原稿を読み取り、原稿手差し口３１に排出し、同時にこれに係る画像を用紙に形成して胴内排紙トレイ１５に排出する。その後、原稿載置トレイ２２に載置された残りの原稿について、読み取りおよび画像形成動作を継続する。
【００２７】
このように、第１の原稿搬送手段２３で原稿を搬送している間に割り込みコピーを行う場合には、それまでの動作に係る排出された原稿と、割り込みコピーに係る原稿とで排出される場所が異なるため、これらの原稿が混ざって区別しにくくなることがない。また、第１の原稿搬送手段２３で原稿が搬送されている間に、割り込みコピーに係る原稿を第２の読み取り位置３５で待機させることができるため、待ち時間を最小限とすることができる。
【産業上の利用可能性】
【００２８】
本発明に係る画像読み取り装置は、複写機、ファクシミリ、スキャナなど、用紙に形成された画像を読み取る機能を有する装置一般に用いることができる。
【図面の簡単な説明】
【００２９】
【図１】本発明の実施形態に係る自動原稿搬送装置を備えた複写機の概略構成図
【図２】自動原稿搬送装置の断面図
【符号の説明】
【００３０】
１      複写機
２２      原稿載置トレイ
２３      第１の原稿搬送手段
２３ａ    ピックアップローラ
２３ｂ    搬送ローラ
２３ｃ    レジストローラ
２３ｄ    排出ローラ
２４      原稿排出トレイ
２８      第１の読み取り位置
３１      原稿手差し口
３３      第２の原稿搬送手段
３３ａ    ローラ
３３ｂ    ローラ
３３ｃ    ベルト
３４      原稿検知手段
３５      第２の読み取り位置
４１      プラテン
４８      露光装置
【図１】
2006069676.tif 000003
【図２】
2006069676.tif 000004